(57)【要約】  【課題】      光源ランプの両端のソケットにねじれや傾きがあっても、光源ランプを支持台に対して均一な且つ所定の高さに取り付けることの可能な光源装置を提供する。  【解決手段】  光源ランプ両端の一対のソケットを取り付ける支持台の、少なくとも一方のソケットを支持する支持面を、光源ランプの中心を中心として前記ソケットに外接する円弧状とする。  【選択図】    図９ 
2004272298.tif 000002
【特許請求の範囲】
【請求項１】
原稿の全幅を照射可能な長さの光源ランプと、その光源ランプの両端にそれぞれ固定された一対のソケットと、その一対のソケットをそれぞれ支持する支持面を備えた支持台とを備え、少なくとも一方のソケットを支持する支持面が、前記光源ランプの中心を中心として前記ソケットに外接する円弧状であることを特徴とする画像形成装置の光源装置。
【請求項２】
原稿の全幅を照射可能な長さの光源ランプと、その光源ランプの両端にそれぞれ固定された一対のソケットと、その一対のソケットをそれぞれ支持する支持面を備えた支持台とを備え、その支持面が幅の狭いリブ上に形成されていることを特徴とする画像形成装置の光源装置。                                                                      
【発明の詳細な説明】
【技術分野】
【０００１】
本発明は、透明な原稿台上に載せた原稿を内部に配置した光学系で読み取る形式の読取ユニットを備えた画像形成装置及びそれに用いるのに好適な光源装置に関する。
【背景技術】
【０００２】
従来より、透明な原稿台上に載せた原稿を内部に配置した光学系で読み取る形式の読取ユニットを備えた画像形成装置が広く使用されており、その１例として、図１４に示すように、記録ユニット１の上に支持部材２を介して読取ユニット３を取り付けて一体化し、その読取ユニット３で読み取った画像を記録ユニット１で複写印刷する装置が知られている。この読取ユニット３は、上端が開放した箱状に組み立てられた読取フレーム５と、その上面に配置された原稿台ガラス６と、内部に配置された読取用の光学系７等を備えており、その光学系７は、原稿を全幅に渡って照射する光源装置８及び原稿面からの反射光を光路変更するミラー９を備えた光源ユニット１０と、原稿面からの反射光を更に光路変更するミラー１１を備えたミラーユニット１２と、集光レンズ１３と、光電変換素子列１４と、光源ユニット１０及びミラーユニット１２を移動させる移動手段（図示せず）等を備えている。
【０００３】
読取フレーム５は、底壁と両端の垂直壁を有するメインフレーム５ａと、そのメインフレーム５ａの両側に取り付けられて垂直壁を形成する補助フレーム５ｂを有しており、これらのメインフレーム５ａと補助フレーム５ｂを箱状に組み立てた後、支持部材２の上端に設けている支持フレーム１６に複数個所をねじ止めして取り付けていた。
【０００４】
また、光源装置８は、図１５、図１６に示すように、原稿の全幅を照射可能な長さの蛍光灯などの光源ランプ１８と、その光源ランプ１８の両端にそれぞれ固定された取り付け用及び電気接続用の一対のソケット１９ａ、１９ｂと、その一対のソケットをそれぞれ支持する支持面を備えた支持台２０と、ソケット１９ａ、１９ｂをそれぞれ支持台２０に取り付けるためのバンド２１及びねじ２２等を備えていた。
【発明の開示】
【発明が解決しようとする課題】
【０００５】
しかし、かかる従来の画像形成装置には以下に示すような問題があった。
【０００６】
即ち、読取ユニット３は支持部材２に取り付ける前に所定の平面度を持つように組み立てられ、その後、読取ユニット３の読取フレーム５を支持部材２の支持フレーム１６にねじ止めしているが、支持フレーム１６は複数の部品を組み立てて構成しているため、組立精度が悪く、その支持フレーム１６に読取フレーム５をねじ止めすると、読取フレーム５が支持フレーム１６の寸法精度の影響を受けてゆがみを生じ、特に平面度が悪くなり、読取画質を低下させるという問題があった。また、読取フレーム５を支持フレーム１６にねじ止めするに際し、読取フレーム５の側面にねじ穴を形成し、それにねじをねじ込むことがあるが、その場合、ねじ締めトルクや押込力によっても、読取フレームに変形やゆがみを生じることがあり、読取画質を低下させていた。
【０００７】
読取ユニット３の組立手順として、まずメインフレーム５ａに、光源ユニット１０及びミラーユニット１２を移動させるためのワイヤを組み込み、その後補助フレーム５ｂを取り付けており、且つこのワイヤはメインフレーム５ａの両端の垂直壁に連結している。このため、ワイヤを組み込んだ際に、そのワイヤのテンションにより両端の垂直壁が内側に少し倒れた状態に変形してしまい、この垂直壁を垂直に起こしながら両側に補助フレームを取り付けなければなら
ず、作業性がきわめて悪いという問題があった。また、両端の垂直壁を正確な垂直状態に戻すことなく補助フレームを取り付けてしまうことも多く、その場合、読取フレーム５がゆがんだ状態となり、読取画質を低下させるという問題もあった。
【０００８】
光源ランプ１８の両端に固定している一対のソケット１９ａ、１９ｂは、それぞれの下端の平坦面が同一面となるように取り付けられるべきものであるが、実際には製造上のばらつきで図１７に示すようにねじれた位置関係となることが多い。このようにねじれた位置関係で固定された一対のソケット１９ａ、１９ｂを支持台２０の平坦面上に取り付けた場合、図１８（ａ）、（ｂ）に示すように、一方のソケット１９ａを正常に取り付けると、他方のソケット１９ｂは傾いた状態で取り付けられることとなり、光源ランプ１８の両端における支持台２０に対する高さＡ、Ｂが異なることとなる。このため、原稿面と光源ランプ１８との距離が光源ランプ１８の長さ方向に変化してしまい、原稿に対し均一な照明ができないという問題があった。
【０００９】
更に、光源ランプ１８の両端のソケット１９ａ、１９ｂはねじれた位置関係となるばかりでなく、図１９に示すように、光源ランプ１８の軸線に対して直角とはならずに傾くことがあり、これを支持台２０に取り付けた時、支持台２０に対する高さが設計値とは異なってしまい、しかも、その傾きが左右で異なるため、光源ランプ１８の両端の高さも異なることとなり、原稿に対し均一な照明ができないという問題もあった。
【００１０】
本発明は、上述の問題点に鑑みて為されたもので、光源ランプの両端のソケットにねじれや傾きがあっても、光源ランプを支持台に対して均一な且つ所定の高さに取り付けることの可能な光源装置を提供することを目的とする。
【課題を解決するための手段】
【００１１】
このような課題を解決するために、請求項１の発明は、原稿の全幅を照射可能な長さの光源ランプと、その光源ランプの両端にそれぞれ固定された一対のソケットと、その一対のソケットをそれぞれ支持する支持面を備えた支持台とを備えた光源装置において、前記支持台の少なくとも一方のソケットを支持する支持面を、前記光源ランプの中心を中心として前記ソケットに外接する円弧状とするという構成を備えたものである。
【００１２】
この構成により、円弧状の支持面に支持させたソケットは、支持台に対する取付角度が一定でなくても光源ランプの高さは一定となり、このため、光源ランプ両端の一対のソケットにねじれがあって、その一対のソケットを支持台に取り付けた際に一対のソケットの取付角度が異なっていても光源ランプを一定の高さとすることができ、原稿面の均一な照明が可能となる。
【００１３】
請求項２の発明は、原稿の全幅を照射可能な長さの光源ランプと、その光源ランプの両端にそれぞれ固定された一対のソケットと、その一対のソケットをそれぞれ支持する支持面を備えた支持台とを備えた光源装置において、ソケットを支持する支持面を幅の狭いリブ上に形成するという構成を備えたものである。
【００１４】
この構成とするリブが、ソケットの狭い幅の部分のみを支持するためソケットが光源ランプの軸線に対して傾斜していても、光源ランプの高さを一定とすることができ、原稿面の均一な照明が可能となる。
【発明の効果】
【００１５】
このように本発明によれば、光源ランプ両端の一対のソケットを取り付ける支持台の、少なくとも一方のソケットを支持する支持面を、光源ランプの中心を中心として前記ソケットに外接する円弧状としたことにより、光源ランプ両端の一対のソケットにねじれがあっても光源ランプを一定の高さに取り付けることができ、原稿面を均一に照明することができるという効果を有している。また、光源ランプを取り付ける支持台に幅の狭いリブを形成し、そのリブに光源ランプ両端の一対のソケットを取り付ける構成としたことにより、ソケットが光源ランプの軸線に対して傾いていても、光源ランプを一定の高さに取り付けることができ、原稿面を均一に照明することができるという効果を有している。
【発明を実施するための最良の形態】
【００１６】
図１は本発明をファクシミリ装置に適用した実施例による画像形成装置を示す概略斜視図であり、（ａ）は原稿カバーを開いた状態で、（ｂ）は原稿カバーを閉じた状態で示している。図２はその画像形成装置の読取ユニット内に設けられた読取フレームと、それを支持する支持部材に設けられた支持フレームを概略的に示す斜視図である。なお、以下の実施例において、図１４〜図１９に示す従来例と同一部品には同一符号を付している。図１において、１は記録ユニット、２Ａはその記録ユニット１の上に取り付けられた支持部材、３Ａはその支持部材２Ａの上に取り付けられた読取ユニットである。この読取ユニット３Ａも、図１４に示す従来の読取ユニット３と同様に、透明な原稿台即ち原稿台ガラス６の上に載せた原稿を内部に配置した光学系で読み取る形式のものであり、内部に読取フレーム５Ａ（図２参照）を備えると共に、その中に、図１４に示す光源装置８及び原稿面からの反射光を光路変更するミラー９を備えた光源ユニット１０と、原稿面からの反射光を更に光路変更するミラー１１を備えたミラーユニット１２と、集光レンズ１３と、光電変換素子列１４と、光源ユニット１０及びミラーユニット１２を移動させる移動手段（図示せず）等を備えた光学系７を配置している。
【００１７】
図２において、５Ａは読取ユニット３Ａ（図１参照）に設けられている読取フレームであり、底壁と両端の垂直壁を有する板金製のメインフレーム５Ａａと、そのメインフレーム５Ａａの両側に取り付けられて垂直壁を形成する板金製の補助フレーム５Ａｂなどを組み立てることによって上端が開口した箱状に組み立てられたものであり、その内部に光学系（図示せず）を配置している。１６Ａは支持部材（図１参照）に設けられている支持フレームである。
【００１８】
読取フレーム５Ａには、支持フレーム１６Ａに乗せて支持させるための３点の被支持部２５ａ、２５ｂ、２５ｃが形成されている。被支持部２５ａはメインフレーム５Ａａの一方の垂直壁の一端の下部に形成されており、被支持部２５ｂはその垂直壁の他端から横に突出する突起で形成されており、被支持部２５ｃは他方の垂直壁の中央部分の一部を外方に折り曲げて形成した突起で形成されている。従って、３点の被支持部２５ａ、２５ｂ、２５ｃは、三角形の頂点に位置しており、このため、この３点を支持するのみで、読取フレーム５Ａを水平に支持することが可能である。更に、読取フレーム５Ａは、図２の手前側の垂直壁の複数個所に、垂直壁の一部を外側に押し出して垂直に形成したじ止め片２６を有しており、そのねじ止め片２６にはねじを通すための穴２７を形成している。この穴２７は図３から良く分かるように、上下に長い形状となっている。図２において、読取フレーム５Ａの奥側の端部には、横方向に延び出した垂直なねじ止め片２８が形成されており、そのねじ止め片２８にも、ねじを通すための上下に長い形状の穴２９が形成されている。更に、被支持部２５ａの近傍には横方向に延び出した水平なねじ止め片（図示せず）が形成されており、そのねじ止め片にはねじを通すための穴が形成されている。
【００１９】
一方、支持フレーム１６Ａは、板金製の複数のフレーム部材１６ａ、１６ｂ、１６ｃ、１６ｄ、１６ｅなどを図２に示すように組み立てて形成されている。なお、実際にはフレーム部材１６ａと１６ｃの手前側の端部を連結するフレーム部材も設けられているが、図面では省略している。手前側に位置するフレーム部材１６ａはその端部に横方向に突出した突片３１を有している。この突片３１の上面は、読取フレーム５Ａの被支持部２５ｂを載せて支持するための支持面を形成している。更に、このフレーム部材１６ａは上端に、上方に延びる複数の舌片３２を有し、その舌片３２にはねじ穴３３が形成されている。この舌片３２は、図３、図４に示すように、読取フレーム５Ａのねじ止め片２６の内側に挿入されるように配置されており、ねじ止め片２６の外側からねじ３５を穴２７に通し、その内側の舌片３２のねじ穴３３にねじ込むことにより、フレーム部材１６ａに読取フレーム５Ａをねじ止めすることができる。
【００２０】
図２において、フレーム部材１６ｂはそのほぼ中央部分に、内側に突出し且つ水平な上面を有する突出部３７を形成している。この突出部３７の上面は、読取フレーム５Ａの被支持部２５ｃを載せて支持するための支持面を形成している。フレーム部材１６ｃは、その上端の且つ両端近傍にそれぞれ、舌片３８、３９を有しており、各舌片３８、３９にはねじ穴４０、４１が形成されている。更に、このフレーム部材１６ｃには水平な舌片４２も形成されている。この舌片４２の上面は、読取フレーム５Ａの被支持部２５ａを載せて支持するための支持面を形成している。
【００２１】
次に、上記構成の読取フレーム５Ａ及び支持フレーム１６Ａの組立動作を説明する。まず、支持フレーム１６Ａの各フレーム部材１６ａ、１６ｂ、１６ｃ、１６ｄ、１６ｅなどを図２に示すように組み立て、読取フレーム５Ａも図２に示すように組み立てる。また、その読取フレーム５Ａ内には必要な部品を組み込んでおく。その後、その読取フレーム５Ａを支持フレーム１６Ａに取り付ける。この取付の際には、読取フレーム５Ａを支持フレーム１６Ａの上から降下させ、フレーム部材１６ａの上端の舌片３２を読取フレーム５Ａのねじ止め片２６の内側に挿入させ、且つ読取フレーム５Ａの３点の被支持部２５ａ、２５ｂ、２５ｃを、支持フレーム１６Ａ側に設けている突片３１、突出部３７、舌片４２の上面（支持面）に載せることで支持させる。このように読取フレーム５Ａを、単に３点で支持するので、読取フレーム５Ａに無理な力が加わることがなく読取フレーム５Ａの平面性が維持されている。
【００２２】
次に、読取フレーム５Ａと支持フレーム１６Ａをねじ止めして固定する。例えば、図３、図４に示すように、ねじ止め片２６の外側からねじ３５を穴２７に通し、その内側の舌片３２のねじ穴３３にねじ込んで固定する。この際、支持フレーム１６Ａの組立精度が悪いと、その支持フレーム１６Ａに読取フレーム５Ａを３点で支持させた時、ねじ穴３３と穴２７を形成している部分が上下方向にずれる傾向がある。しかしながら、穴２７を上下方向に長い穴としているので、支持フレーム１６Ａの組立精度が多少悪くても、ねじ穴３３が穴２７に合った位置となっており、読取フレーム５Ａを変形させることなくねじ３５によってねじ止めすることができる。また、ねじ止め片２６と舌片３２がねじ３５の軸線方向に離れた状態となることもあるが、その場合には舌片３２が変形することにより、読取フレーム５Ａは変形しない。更に、ねじ３５は支持フレーム１６Ａに設けているねじ穴３３にねじ込んでいるので、ねじ締め時のねじ３５の回転力やドライバーによるねじの押し込み力は、読取フレーム５Ａには加わらず、このため、読取フレーム５Ａをねじ止め固定しても変形を与えることはない。他のねじ止め部分についても同様にねじ止めして固定するものであり、やはり読取フレーム５Ａに変形を与えることはない。かくして、読取フレーム５Ａは支持フレーム１６Ａに、三角形の頂点である３点で支持され、平面度を保った状態でねじ止めされることとなり、ねじ止め固定したにもかかわらず、ゆがみや変形を与えず、この読取フレーム５Ａを備えた読取ユニットの精度を維持できる。
【００２３】
次に、図１に示す読取ユニット３Ａに設ける読取フレームの他の実施例を説明する。図５は他の実施例による読取フレーム５Ｂの概略平面図、図６はその読取フレーム５Ｂを組み立てる前の状態で示す概略平面図、図７はその読取フレーム５Ｂを形成するメインフレーム及びその中に組み込んだ駆動系を示す概略側面図、図８はメインフレームの側面に取り付ける補助フレームの概略側面図である。この読取フレーム５Ｂも、底壁と両端の垂直壁を有する板金製のメインフレーム５Ｂａと、そのメインフレーム５Ｂａの両側に取り付けられて垂直壁を形成する板金製の補助フレーム５Ｂｂを備えている。補助フレーム５Ｂｂはその両端近傍の一部分を切り起こしてガイド片４５を形成している。このガイド片４５は、メインフレーム５Ｂａの両端の垂直壁が図７に示すように内側に倒れていた場合、そのメインフレーム５Ｂａの側面に補助フレーム５Ｂｂを取り付けた際、垂直壁の内面に接触してその垂直壁を底壁に直角な正常位置に矯正するためのものであり、先端にメインフレーム５Ｂａの垂直壁の内面への挿入を容易にするよう傾斜４５ａを形成している。４７は読取フレーム５Ｂ内に配置される光源ユニットやミラーユニット（図示せず）を移動させる移動手段であり、駆動用のワイヤ４８と、そのワイヤ４８を走行させる駆動プーリ４９と、光源ユニット及びミラーユニットにそれぞれ連結された移動プーリ５０、５１と、ワイヤ４８に張力を付与するばね５２等を備えており、ワイヤ４８の一端及びばね５２の一端はメインフレーム５Ｂａの垂直壁に連結されている。
【００２４】
次に、上記構成の読取フレーム５Ｂの組立方法を説明する。メインフレーム５Ｂａの側面に補助フレーム５Ｂｂを取り付ける前に、そのメインフレーム５Ｂａの側面近傍に移動手段４７を取り付ける。この時、ばね５２でワイヤ４８に張力を加えているため、メインフレーム５Ｂａの垂直壁が図６、図７に示すように内側に少し傾いた状態となってしまう。次に、このメインフレーム５Ｂａの側面に補助フレーム５Ｂｂを取り付ける。その際、補助フレーム５Ｂｂをメインフレーム５Ｂａの側面に図６に矢印で示す方向に移動させて押し当てて行くと、ガイド片４５が内側に傾いている垂直壁の内面に接触し、その垂直壁を起こしながら進入する。かくして、補助フレーム５Ｂｂをメインフレーム５Ｂａの側面に押し当てた時には、補助フレーム５Ｂｂのガイド片４５がメインフレーム５Ｂａの垂直壁の内面に接触してその垂直壁を底壁に直角な正常位置に矯正しており、この状態で補助フレーム５Ｂｂをメインフレーム５Ｂａに固定する。以上の動作により、読取フレーム５Ｂをゆがみや変形のない状態に容易に組み立てることができる。なお、図面では省略しているが、この読取フレーム５Ｂにも、図２に示す読取フレーム５Ａと同様な構成の被支持部及びねじ止め用の部分が設けられており、支持フレーム１６Ａに取付可能となっている。
【００２５】
次に、光源装置の実施例を説明する。図９は本発明の一実施例による光源装置の概略側面図、図１０（ａ）、（ｂ）はその光源装置の両端のソケット取付部を示す概略断面図である。光源装置８Ａは、原稿の全幅を照射可能な長さの蛍光灯などの光源ランプ１８と、その光源ランプ１８の両端にそれぞれ固定された取り付け用及び電気接続用の一対のソケット１９ａ、１９ｂと、その一対のソケットをそれぞれ支持する支持面を備えた支持台２０Ａと、ソケット１９ａ、１９ｂをそれぞれ支持台２０Ａに取り付けるためのバンド２１及びねじ２２等を備えている。ここで使用する支持台２０Ａは、一方のソケット１９ａを取り付ける位置に、底面に平坦な支持面５５を形成した溝を有し、他方のソケット１９ｂを取り付ける位置に、光源ランプ１８の中心を中心としてソケット１９ｂに外接する円弧状の支持面５６を有している。ここで、支持面５５、５６の形成位置は、その上にソケット１９ａ、１９ｂを乗せた時に光源ランプ１８の支持台２０Ａに対する高さＡ、Ｂが同じとなるように定められている。
【００２６】
上記構成の光源装置８Ａでは、支持台２０Ａの支持面５５、５６にそれぞれソケット１９ａ、１９ｂを乗せて取り付ける。この際、光源ランプ１８の両端に取り付けたソケット１９ａ、１９ｂには通常、ねじれがあり、そのため、図１０（ａ）に示すように、一方のソケット１９ａを支持面５５に乗せることにより支持台２０Ａに対して直角に取り付けた時、他方のソケット１９ｂは図１０（ｂ）に示すように支持体２０Ａに対して傾斜した状態となる。しかしながら、ソケット１９ｂは光源ランプ１８の中心を中心としてソケット１９ｂに外接する円弧状の支持面５６に乗せて取り付けるため、そのソケット１９ｂが傾斜していても、光源ランプ１８の高さＢは常に一定に保たれ、他方のソケット１９ａで支持されている部分の光源ランプ１８の高さＡに等しくなっている。かくして、光源ランプ１８を支持台２０Ａに対して全長に渡って一定高さに取り付けることができ、原稿面に対する照射光量を一定とすることができる。なお、この実施例では、図１０（ａ）に示すように、一方のソケット１９ａを支持する支持面５５を平坦面としているが、この支持面５５も他方の支持面５６と同様に円弧状としてもよい。しかしながら、平坦な支持面５５を採用すると、一方のフレーム１９ａを支持台２０Ａに対して直角に取り付けることができ、光源ランプ１８に形成しているアパーチャーの位置を常に一定とできる利点が得られ、好ましい。
【００２７】
図１１は本発明の他の実施例による光源装置の概略側面図、図１２はその光源装置の概略端面図である。この実施例の光源装置８Ｂは、光源ランプ１８の両端に固定されているソケット１９ａ、１９ｂを支持するための支持台２０Ｂが、幅の狭いリブ５８を備えており、そのリブ５８の上面をソケット１９ａ、１９ｂを支持する平坦な支持面としたものである。その他の構成は図１５、図１６に示す従来例と同様である。かくして、この実施例では、ソケット１９ａ、１９ｂを狭い幅のリブ５８で支持するため、ソケット１９ａ、１９ｂが光源ランプ１８の軸線に対して傾いていても、そのソケット１９ａ、１９ｂを狭い幅の領域で支持するため、光源ランプ１８の高さを傾きに関係なくほぼ一定に保つことができ、このため、光源ランプ１８を支持台２０Ｂに対して全長に渡って一定高さに取り付けることができ、原稿面に対する照射光量を一定とすることができる。
【００２８】
ここで、リブ５８の幅としては、狭い方が光源ランプ１８の高さをソケットの傾きに係わらず一定にする効果が大きいので好ましく、必要な強度を確保できるかぎり狭くすることが好ましい。具体的には、１〜３ｍｍ程度が好ましい。また、リブ５８の形成位置は、ソケット１９ａ、１９ｂを極力、光源ランプ１８に近い位置で支持するように、すなわち図１１に於ける距離ｄを極力小さくするように設定することが、ソケットの傾きの影響を小さくできるので好ましい。更に、上記実施例では、リブ５８の上面を平坦としているが、この代わりに、図１３（ａ）、（ｂ）に示すように、一方のソケット１９ａを支持するリブ５８Ａは上端を平坦とするが、他方のソケット１９ｂを支持するリブ５８Ｂは上端を、光源ランプ１８の中心を中心としてソケット１９ｂに外接する円弧状とするように変更してもよい。このような構成とすると、左右のソケット１９ａ、１９ｂにねじれがあっても、その影響を無くして、光源ランプ１８の高さを一定とすることができる利点が得られる。
【００２９】
なお、図９〜図１３に示す実施例による光源装置８Ａ、８Ｂは、図１に示す読取ユニット３Ａ内に組み込まれて好適に使用されるが、他の読取ユニットに対して使用してもよいことは言うまでもない。
【産業上の利用可能性】
【００３０】
本発明に係る画像形成装置及び光源装置は、光源ランプ両端の一対のソケットにねじれがあっても、またソケットが光源ランプの軸線に対して傾いていても、光源ランプを一定の高さに取り付けることができ、原稿面を均一に照明することができるということで有用である。
【図面の簡単な説明】
【００３１】
【図１】（ａ）本発明の一実施例による画像形成装置の原稿カバーを開いた状態の概略斜視図（ｂ）本発明の一実施例による画像形成装置の原稿カバーを閉じた状態の概略斜視図
【図２】図１の実施例に設けている読取フレームと支持フレームの概略斜視図
【図３】図２に示す読取フレームと支持フレームのねじ止め部分を示す概略斜視図
【図４】図３に示す部分をねじ止めした状態で示す概略断面図
【図５】読取フレームの他の実施例を示す概略平面図
【図６】図５に示す読取フレームを、組み立てる前の状態で示す概略平面図
【図７】図５に示すメインフレーム及びその中に組み込んだ駆動系を示す概略側面図
【図８】メインフレームの側面に取り付ける補助フレームの概略側面図
【図９】本発明の一実施例による光源装置の概略側面図
【図１０】図９に示す光源装置の両端のソケット取付部を示す概略断面図
【図１１】本発明の他の実施例による光源装置の概略側面図
【図１２】図１１に示す光源装置の概略端面図
【図１３】図１１に示す光源装置の変形例を示す両端のソケット取付部を示す概略端面図
【図１４】従来の画像形成装置を、一部を破断して示す概略側面図
【図１５】従来の画像形成装置の読取ユニットに設けている光源装置の概略側面図
【図１６】図１５に示す光源装置の概略端面図
【図１７】光源ランプの両端に固定しているソケットがねじれている状態を示す概略端面図
【図１８】図１７に示す光源ランプ及びソケットを支持台に取り付けた状態を示す両端のソケット取付部を示す概略端面図
【図１９】光源ランプの両端に固定しているソケットが傾いていた場合に、それを支持台に取り付けた状態を示す概略側面図
【符号の説明】
【００３２】
１  記録ユニット
２、２Ａ  支持部材
３、３Ａ  読取ユニット
５、５Ａ  読取フレーム
５ａ、５Ａａ、５Ｂａ  メインフレーム
５ｂ、５Ａｂ、５Ｂｂ  補助フレーム
６  原稿台ガラス
８、８Ａ、８Ｂ  光源装置
１６、１６Ａ  支持フレーム
１８  光源ランプ
１９ａ、１９ｂ  ソケット
２０、２０Ａ、２０Ｂ  支持台
２５ａ、２５ｂ、２５ｃ  被支持部
２６、２８  ねじ止め片
２７、２９  穴
３１  突片
３２、３８、３９  舌片
３３、４０、４１  ねじ穴
３５  ねじ
３７  突出部
４５  ガイド片
４７  移動手段
４８  ワイヤ
５２  ばね
５５、５６  支持面
５８  リブ
【図１】
2004272298.tif 000003
【図２】
2004272298.tif 000004
【図３】
2004272298.tif 000005
【図４】
2004272298.tif 000006
【図５】
2004272298.tif 000007
【図６】
2004272298.tif 000008
【図７】
2004272298.tif 000009
【図８】
2004272298.tif 000010
【図９】
2004272298.tif 000011
【図１０】
2004272298.tif 000012
【図１１】
2004272298.tif 000013
【図１２】
2004272298.tif 000014
【図１３】
2004272298.tif 000015
【図１４】
2004272298.tif 000016
【図１５】
2004272298.tif 000017
【図１６】
2004272298.tif 000018
【図１７】
2004272298.tif 000019
【図１８】
2004272298.tif 000020
【図１９】
2004272298.tif 000021